(57)【要約】【課題】カメラからの映像情報から高精度に照度計測を行い、かつ、広いスペースのそれぞれのエリアに必要な照度情報を取得し、高精度でかつそれぞれのエリアに適した調光制御を実現できる照明制御装置を提供することにある。【解決手段】カメラ１４の映像情報に基づいて照度計測処理を実行する照明制御装置において、カメラの撮像対象として一定の対象領域を設定し、対象領域を撮像して得られる映像情報から画像特徴情報を取得する画像処理装置１２を有する。画像処理装置１２は、当該画像特徴情報に基づいて照明対象領域内の照度情報を算出する。【選択図】図１
2011081982.tif 000002
【特許請求の範囲】
【請求項１】
照明対象領域内で一定の対象領域を設定し、カメラにより前記対象領域を撮像して得られる映像情報から画像特徴情報を取得する取得手段と、
前記画像特徴情報に基づいて前記照明対象領域内の照度情報を算出する照度算出手段と、
前記照度情報に基づいて前記照明対象領域内での照明機器の調光制御を実行する照明機器制御手段と
を具備したことを特徴とする照明制御装置。
【請求項２】
前記カメラにより撮像して得られる映像情報から前記照明対象領域内での人間の存在を認識する画像認識手段を有し、
前記照明機器制御手段は、
前記画像認識手段により人間の存在が認識された場合に、予め設定された照度情報と前記照度算出手段により算出される照度情報とを比較した結果に基づいて、予め設定された照度に適合する調光制御を実行するように構成されていることを特徴とする請求項１に記載の照明制御装置。
【請求項３】
前記取得手段は、
前記対象領域として天井の一部または壁の一部を設定し、前記カメラにより前記天井の一部または壁の一部を撮像して得られる映像情報から画像特徴情報を取得するように構成されていることを特徴とする請求項１または請求項２のいずれか１項に記載の照明制御装置。
【請求項４】
前記照明機器制御手段は、
前記画像認識手段により人間の存在が認識されない場合に、前記照明対象領域内の照度が最小限になるように前記調光制御を実行するように構成されていることを特徴とする請求項３に記載の照明制御装置。
【請求項５】
前記取得手段は、前記対象領域として複数の領域を設定し、当該各領域毎の前記画像特徴情報を取得し、
前記照度算出手段は、前記画像特徴情報に基づいて前記各領域毎の照度情報を算出し、
前記照明機器制御手段は、前記各領域毎の照度情報に基づいて前記照明対象領域内での複数の照明機器の調光制御をそれぞれ個別に実行するように構成されていることを特徴とする請求項１に記載の照明制御装置。
【請求項６】
前記画像認識手段により前記照明対象領域内で認識された人間を認証する認証手段を含み、
前記照明機器制御手段は、前記認証手段により認証された個人毎に設定された照度情報に基づいた調光制御を実行するように構成されていることを特徴とする請求項２又は請求項４のいずれか１項に記載の照明制御装置。
【請求項７】
前記カメラとして、パン・チルト・ズーム方式のカメラを使用することを特徴とする請求項１から請求項６のいずれか１項に記載の照明制御装置。
【請求項８】
前記画像認識手段により前記照明対象領域内で認識された人間の挙動を検出する手段を有し、
前記照明機器制御手段は、前記人間の挙動に応じて設定された照度情報に基づいた調光制御を実行するように構成されていることを特徴とする請求項２又は請求項４のいずれか１項に記載の照明制御装置。
【請求項９】
前記照明機器制御手段は、
前記照明対象領域内での時間帯毎に設定された照度情報を参照した前記調光制御を実行するように構成されていることを特徴とする請求項１に記載の照明制御装置。
【請求項１０】
前記画像認識手段により人間の存在が認識されたときに、当該人間が前記照明対象領域内の侵入者であることを検知する検知手段と、
前記検知手段の検知結果に応じてセキュリティ処理を実行する手段と
を更に有することを特徴とする請求項２に記載の照明制御装置。
【請求項１１】
前記検知手段は、前記カメラから得られる前記侵入者の映像情報を保存し、かつ当該映像情報を外部に伝送する手段を含むことを特徴とする請求項１０に記載の照明制御装置。
【請求項１２】
照明対象領域内での照明機器を制御する照明制御装置に適用する照明制御方法であって、
前記照明対象領域内で一定の対象領域を設定し、カメラにより前記対象領域を撮像して得られる映像情報から画像特徴情報を取得する処理と、
前記画像特徴情報に基づいて前記照明対象領域内の照度情報を算出する処理と、
前記照度情報に基づいて前記照明対象領域内での照明機器の調光制御を実行する処理と
を実行することを特徴とする照明制御方法。
【発明の詳細な説明】
【技術分野】
【０００１】
本発明は、特にカメラを使用して照明機器の制御を行う照明制御技術に関する。
【背景技術】
【０００２】
従来、例えばビルのオフィス内などの照明制御には、設置されている照明機器をスイッチでオン，オフする点灯制御以外に、照明制御装置による自動的な調光制御がある。照明制御装置は、オフィス内の複数個所に設置された照度センサ（照度計）により照度が一定値(閾値)より下回った段階を検知すると、該当する位置の照明機器を点灯して照度を一定値に維持する調光制御を実行する。
【０００３】
ところで、近年では、省エネルギー化の推進なども考慮した高精度の調光制御を実現する照明制御装置が要求されている。従来の照明制御装置は、調光制御に必要な照度情報を、オフィス内の複数個所に設置された照度センサから取得している。このため、広いスペースのオフィスなどでは、相当数の照度センサを配置する必要があり、コストアップを招くことになる。また、照度センサの設置数を抑制して、代表点での照度計測方法を採用することも考えられるが、高精度の調光制御は困難である。
【０００４】
このような問題点を解決可能な技術として、カメラにより撮像された映像情報（画像情報）を使用して照明制御を行う照明制御装置が提案されている（例えば、特許文献１を参照）。
【先行技術文献】
【特許文献】
【０００５】
【特許文献１】特開２００２−７５６６８号公報
【発明の概要】
【発明が解決しようとする課題】
【０００６】
カメラにより撮像された映像情報（画像情報）を使用する照明制御方法は、照度センサを使用することなく、照明制御に必要な照度情報を取得することができる。しかしながら、例えばオフィス内は外光などの外乱の影響により、単にカメラから画像情報を取得しても、高精度の照度計測に必要な照度情報を取得することは困難である。
【０００７】
そこで、本発明の目的は、カメラからの映像情報から高精度に照度計測を行い、かつ、広いスペースのそれぞれのエリアに必要な照度情報を取得し、高精度でかつそれぞれのエリアに適した調光制御を実現できる照明制御装置を提供することにある。
【課題を解決するための手段】
【０００８】
本発明の観点は、カメラの撮像により得られる映像情報から画像特徴情報を取得し、当該画像特徴情報から照度情報を算出する場合に、カメラの撮像対象として例えば面の模様が一定の対象領域を設定した照明制御装置である。
【０００９】
本発明の観点に従った照明制御装置は、照明対象領域内で一定の対象領域を設定し、カメラにより前記対象領域を撮像して得られる映像情報から画像特徴情報を取得する取得手段と、前記画像特徴情報に基づいて前記照明対象領域内の照度情報を算出する照度算出手段と、前記照度情報に基づいて前記照明対象領域内での照明機器の調光制御を実行する照明機器制御手段とを備えた構成である。
【発明の効果】
【００１０】
本発明によれば、カメラからの映像情報から高精度に照度計測を行い、かつ、広いスペースのそれぞれのエリアに必要な照度情報を取得し、高精度でかつそれぞれのエリアに適した調光制御を実現できる。
【図面の簡単な説明】
【００１１】
【図１】本発明の実施形態に関するシステムの構成を示すブロック図。
【図２】本実施形態に関する画像処理と照明制御との連携を説明するためのフローチャート。
【図３】本実施形態に関する画像処理装置の処理を説明するためのフローチャート。
【図４】本実施形態に関する画像特徴情報と照度情報との関係を説明するための図。
【図５】本実施形態に関する照度計測処理を説明するためのフローチャート。
【図６】本実施形態に関する応用例を説明するためのフローチャート。
【図７】本実施形態の変形例を説明するための図。
【発明を実施するための最良の形態】
【００１２】
以下図面を参照して、本発明の実施形態を説明する。
【００１３】
［システムの構成］
図１は、本実施形態に関するシステムの要部を示すブロック図である。
【００１４】
本実施形態のシステムは、図１に示すように、照明対象領域として例えばオフィス１内を想定し、ネットワーク（ＬＡＮ）１０、照明機器制御装置１１及び画像処理装置１２を有する。なお、本実施形態では、照明機器制御装置１１及び画像処理装置１２を一体化して照明制御装置と呼ぶ。
【００１５】
ネットワーク１０は、照明機器制御装置１１、画像処理装置１２、照明機器１３及びカメラ１４を接続し、制御信号や映像情報を伝送する。照明機器制御装置１１は、オフィス１内に設置された複数の照明機器１３を制御し、後述するように照明の調光制御を実行する。
【００１６】
画像処理装置１２は、オフィス１内に設置された複数のカメラ１４により撮像された映像情報（画像情報）を収集し、画像処理によりオフィス１内の照度を計測するための照度情報を生成する。照明機器制御装置１１は、ネットワーク１０を介して画像処理装置１２から取得した照度情報に基づいて、オフィス１内の照明の調光制御を実行する。
【００１７】
なお、オフィス１内は、複数の人間１００が出入し、主に窓や天窓などから外光が入る環境を想定している。なお、これ以外の環境についても適用できる。また、複数の照明機器１３は、オフィス１内に設置されているスイッチにより点灯のオン、オフ制御のみならず、調光制御が可能になっている。
【００１８】
［照明制御動作］
以下、図２から図４を参照して、本実施形態の照明制御装置の基本的動作を説明する。
【００１９】
本実施形態では、照明機器制御装置１１は、画像処理装置１２との連携により、オフィス１内の照明機器１３の調光制御を実行する。図２に示すように、画像処理装置１２は、オフィス１内に設置されているカメラ１４により撮像された映像情報（映像信号）を収集し、画像処理により画像特徴情報を算出する（ステップＳ１）。具体的には、画像処理装置１２は、照度の計測に必要な画像情報として、輝度情報、テクスチャ情報、色情報などの画像特徴情報を算出する。
【００２０】
ここで、本実施形態では、各カメラ１４は、オフィス１内の複数個所に設置されており、例えば室内の天井に含まれる領域を撮影対象領域として撮影する。通常では、天井は、模様（白地も含む）が一定の面であり、外光などの外乱の影響がすくない領域である。このため、画像処理装置１２は、カメラ１４からの映像情報から変動の少ない画像特徴情報を算出することができる。一方、オフィス１内の例えばテーブルの上面などでは、物が存在する場合と物が無い場合とでは、カメラ１４により撮像された場合に、例えば画像特徴情報に含まれる輝度情報は、輝度レベルが大きく変動したものとなる。従って、撮影対象領域として、模様（白地も含む）が一定の面領域の天井や物が存在しない壁面の領域を設定することにより、変動の少ない画像特徴情報を算出することができる。
【００２１】
画像処理装置１２は、変動の少ない画像特徴情報から照度を計測し、当該照度情報を算出する（ステップＳ２）。画像処理装置１２は、算出した照度情報に基づいて、オフィス１内の照明に対して調光制御が必要である場合に、調光制御要求をネットワーク１０を介して照明機器制御装置１１に送信する（ステップＳ３）。
【００２２】
画像処理装置１２は、算出した照度情報に基づいて、オフィス１内の照明が設定の照度になれば、調光完了と判定して調光完了通知を照明機器制御装置１１に送信する（ステップＳ４のＹＥＳ，Ｓ５）。一方、画像処理装置１２は、調光制御要求を送信後、調光完了と判定するまで照度の監視を継続する（ステップＳ４のＮＯ）。
【００２３】
一方、照明機器制御装置１１は、画像処理装置１２から送信された調光制御要求に基づいて、該当する照明機器１３の調光制御を実行する（ステップＳ１１）。具体的には、照明機器制御装置１１は、調光制御要求が照度の増大（ＵＰ）であれば、照明機器１３の照度を強くするように調光制御する。逆に、調光制御要求が照度の減少（ＤＯＷＮ）であれば、照明機器１３の照度を弱くするように調光制御する。照明機器制御装置１１は、調光完了通知が送信されるまで調光制御要求に応じた調光制御を継続し、調光完了通知を受信すると調光制御を終了する（ステップＳ１２）。
【００２４】
（画像特徴情報と照度情報との関係）
図３のフローチャート及び図４を参照して、本実施形態の調光制御において、画像特徴情報と照度情報との関係について説明する。
【００２５】
図３に示すように、画像処理装置１２は、カメラ１４の映像情報から画像特徴情報（輝度などの画像特徴量）を抽出する場合に、当該映像内の対象領域を設定する（ステップＳ２１）。この場合、当該映像内の複数の任意領域を対象領域として設定することができる。画像処理装置１２は、予め用意したマッピングテーブルまたは回帰式を使用して、抽出した画像特徴情報（輝度情報やテクスチャ情報など）の変動と照度の変動との関係を算出する（ステップＳ２２）。
【００２６】
図４（Ａ）は、画像特徴情報と照度情報との関係を示す図である。ここでは、画像特徴情報として輝度情報を想定し、横軸に示す輝度に対して縦軸に照度の特性２００，２０１，２０２を示す。照度の特性２００，２０１，２０２は、図４（Ｂ）に示す天井の各領域３００，３０１，３０２に対応している。即ち、画像処理装置１２は、例えば天井の領域３００を撮影対象とするカメラ１４の映像情報から輝度情報を取得すると、マッピングテーブルを参照して、照度の特性２００から照度情報を算出することができる。要するに、画像処理装置１２は、カメラ１４により撮像した映像情報から照度変動に依存した輝度情報（画像特徴情報）の変動量に基づいて、撮影対象領域３００，３０１，３０２毎の照度情報を算出することができる。
【００２７】
（照度計測処理）
図５は、画像処理装置１２の照度計測処理を説明するためのフローチャートである。
【００２８】
画像処理装置１２は、前述したように、輝度情報などの画像特徴情報から照度情報を算出する（ステップＳ３１）。画像処理装置１２は、予め設定された照度情報と算出された照度情報とを比較し、オフィス１内の照明が予め設定された照度に適合する調光状態であるか否かを判定する（ステップＳ３２）。
【００２９】
本実施形態では、画像処理装置１２には、ユーザが任意に入力した照度情報を予め設定することができる。後述するように、予め設定する照度情報により、例えば撮影対象領域３００，３０１，３０２毎などのように、多様な調光制御を実現することができる。
【００３０】
画像処理装置１２は、判定結果として調光状態が適正である場合、即ち予め設定された照度に適合する調光状態の場合には、調光制御要求を出力せずに終了処理に移行する（ステップＳ３３）。この終了処理は、図２に示す調光完了と調光完了通知の処理に相当する（ステップＳ４，Ｓ５）。
【００３１】
一方、画像処理装置１２は、判定結果として調光状態が不適正で照度不足である場合、照明機器１３の照度を強くするための調光制御要求（“強”）を照明機器制御装置１１に送信する（ステップＳ３４）。また、判定結果として調光状態が不適正で照度過度である場合、照明機器１３の照度を弱くするための調光制御要求（“弱”）を照明機器制御装置１１に送信する（ステップＳ３５）。照明機器制御装置１１は、前述したように、画像処理装置１２からの調光制御要求に応じて、領域毎の照明機器１３の調光制御を実行する。
【００３２】
以上要するに本実施形態の照明制御装置であれば、特にオフィス１内の天井のように外乱の影響が少ない領域をカメラ１４により撮像し、この撮像により外乱変動の少ない画像特徴量を算出できる。従って、変動の少ない画像特徴情報から高精度の照度情報を取得できるため、予め設定した照度に適合させるような多様な調光制御を実現することが可能となる。
【００３３】
（応用例）
図６は、本実施形態の照明制御装置の応用例を説明するためのフローチャートである。
【００３４】
画像処理装置１２は、カメラ１４により撮像された映像情報から輝度情報などの画像特徴情報を抽出し、当該画像特徴情報から照度情報を算出する（ステップＳ４１）。次に、画像処理装置１２は、カメラ１４により撮像された映像情報の画像処理により、映像内に人間が存在しているか否かを判定する（ステップＳ４２）。画像処理装置１２は、例えば背景差分方式、フレーム間差分方式、あるいはパターン認識方式などの画像認識機能を利用して映像内での人間の存在を認識する。
【００３５】
画像処理装置１２は、画像認識処理により人間が存在していないと判定した場合には、予め設定された最小限の照度になるような調光制御要求を照明機器制御装置１１に送信する（ステップＳ４２のＮＯ）。即ち、画像処理装置１２は、算出された照度情報と予め設定された最小限の照度を示す照度情報とを比較し、オフィス１内の照明が最小限の照度になるような調光制御要求を照明機器制御装置１１に送信する。
【００３６】
照明機器制御装置１１は、画像処理装置１２からの調光制御要求に応じて、図１に示すオフィス１内の照明が最小限の照度になるように、照明機器１３の調光制御を実行する（ステップＳ４４）。照明機器制御装置１１は、照明対象領域が会議室のような場合には、当該領域に設置された全ての照明機器１３の点灯をオフする制御でもよい。但し、オフィス１内の照明機器１３が既にオフ状態の場合には、照明機器制御装置１１は調光制御を実行せずに、その状態を維持する。
【００３７】
一方、画像処理装置１２は、画像認識処理により人間の存在を認識すると、予め設定された照度情報と算出された照度情報とを比較し、オフィス１内の照明が予め設定された照度に適合する調光状態になるように調光制御要求を照明機器制御装置１１に送信する（ステップＳ４２のＹＥＳ）。
【００３８】
照明機器制御装置１１は、画像処理装置１２からの調光制御要求に応じて、図１に示すオフィス１内の照明が予め設定された照度に適合する調光状態になるように、照明機器１３の調光制御を実行する（ステップＳ４３）。即ち、図１に示すように、例えばオフィス１内のほぼ全領域に人間１００が存在する場合には、照明機器制御装置１１は、オフィス１内に設置された全ての照明機器１３の照度が強くなるような調光制御を実行する。
【００３９】
また、画像処理装置１２は、ある撮像領域のカメラ１４からの映像情報に基づいた画像認識処理により、その領域のみで人間の存在を認識した場合には、当該領域の照明が予め設定された照度に適合する調光状態になるような調光制御要求を送信する。これにより、照明機器制御装置１１は、図１に示すオフィス１内において、例えばテーブルの近傍にのみ人間１００が存在する場合に、そのテーブルの近傍の照明機器１３のみの照度が強くなるような調光制御を実行し、それ以外の照明機器１３の照度が相対的に弱くなるような調光制御を実行する。
【００４０】
この応用例に関連する具体例として、プレゼンテーションを行う会議室の調光制御がある。この具体例では、画像処理装置１２は、プロジェクタの位置近傍を撮像領域とするカメラからの映像情報に基づいた画像認識処理により、プロジェクタの位置近傍に存在する人間（プレゼンテータ）の存在を認識する。照明機器制御装置１１は、画像処理装置１２からの調光制御要求に応じて、プロジェクタ周辺の照明機器を調光制御し、当該照明機器１３のみの照度を強くし、それ以外の照明機器の照度が最小限になるような調光制御を実行する。これにより、プレゼンテータがプロジェクタの位置近傍にいて、プロジェクタを操作している場合には、会議の出席者がプロジェクタの画面を見ていることを想定し、会議室全体の照度を下げることができる。
【００４１】
また、プレゼンテータがプロジェクタの位置近傍から離れた場合には、照明機器制御装置１１は、画像処理装置１２からの調光制御要求に応じて、会議室全体の照度を強くするような調光制御を実行する。これにより、会議の出席者が議論していることを想定し、会議室全体の照度を上げることができる。
【００４２】
さらに、画像処理装置１２が、映像内での人間の存在を認識できる画像認識機能と共に、認識した人間の行動（挙動）を解析できる機能を有する場合を想定する。画像処理装置１２は、認識した人物の動きに一定時間変動がない場合に、例えばその人物の近傍の照明の照度が最小限になるような調光制御要求を出力する。照明機器制御装置１１は、画像処理装置１２からの調光制御要求に応じて、動きに一定時間変動がない人物の近傍の照明機器を調光制御し、当該照明機器１３のみの照度が最小限になるような調光制御を実行する。
【００４３】
また、画像処理装置１２は、認識した人物の挙動を解析して、認識した人物が読書していることを認識した場合には、例えばその人物の近傍の照明の照度を強くするような調光制御要求を出力する。これにより、照明機器制御装置１１は、画像処理装置１２からの調光制御要求に応じて、読書している人物の近傍の照明機器を調光制御し、当該照明機器１３の照度を強くするような調光制御を実行する。
【００４４】
画像処理装置１２が、映像内での人間の存在を認識できる画像認識機能と共に、認識した人間を認証する機能を有する場合を想定する。この認証機能とは、例えば生体認証機能や、ＩＣカードからの読取り情報に基づいた個人認証機能を含む。画像処理装置１２は、認識した人物を認証すると、予め用意されている個人毎に設定された照度情報を登録しているデータベースを参照し、当該認証した人物に適合する照度になるように調光制御要求を出力する。これにより、照明機器制御装置１１は、画像処理装置１２からの調光制御要求に応じて、認証された人物の近傍の照明機器を調光制御し、当該人物に適合する照度になるような調光制御を実行する。具体的には、例えばオフィス１内の同じ領域でも、個人毎に照度を強くし、または弱くするように変化させる調光制御を実現できる。
【００４５】
以上のように本実施形態の照明制御装置であれば、カメラの映像情報から人間の存在を認識する画像認識機能との連携を利用して、人間の存在に応じた多様な調光制御を実現することができる。この場合、本実施形態によれば、照度センサと共に、人間の存在を認識するための人感センサなどのセンサ群を省略することができる。
【００４６】
［変形例］
（第１の変形例）
図７は、本実施形態の変形例に関する図である。本変形例は、カメラ１４として広角レンズを使用したカメラを使用し、このカメラにより、例えばオフィス１内の下側から天井の方向を撮像する照明制御装置である。
【００４７】
図７に示すように、画像処理装置１２は、カメラからの広角レンズによる広範囲の映像情報から、照明機器１３や人間１００の存在を認識することができる。このような広角レンズを使用したカメラ１４を使用することにより、画像処理装置１２は、図７に示すように、認識した人間１００の近傍の照明機器１３の照度が強くし、それ以外の領域の照明機器の照度を弱くするような調光制御要求を行うことができる。
【００４８】
（第２の変形例）
さらに、本実施形態の変形例として、いわゆるＰＴＺ（パン・チルト・ズーム）方式のカメラを使用する照明制御装置でも良い。ＰＴＺカメラは、首振り機能、ズーム機能、画角制御機能を有するカメラであり、監視カメラに適用されることが多い。このようなＰＴＺカメラを使用することにより、画像処理装置１２は、予め任意の撮像領域を設定することで、１台のカメラにより広域の範囲をカバーする映像情報を取得することができる。
【００４９】
このようなＰＴＺカメラを使用するシステムとして、本実施形態の照明制御機能だけでなく、いわゆるセキュリティ機能を含む複合的機能を有するシステム（便宜的に複合システムと呼ぶ）を実現できる。
【００５０】
本変形例の複合システムは、カメラからの映像情報を使用して、前述した照明の照度計測処理を実行すると共に、当該カメラを監視カメラとして使用し、例えばオフィス１内の侵入者を監視する以下のようなセキュリティ機能を実現する。
【００５１】
具体的には、例えばオフィス１内は、夜間や休日などで人間が存在しない状況を想定すると、複合システムは、このような状況において、監視カメラによりオフィス１内に侵入してきた人物を撮像し、この撮像により得られる映像情報を例えば管理用サーバに伝送する。管理用サーバは、伝送された映像情報を記憶装置に保存し、映像内で人間の存在を認識するとアラームを発し、セキュリティ管理者からの要求に応じて当該映像情報を表示装置に表示する。
【００５２】
また、調光制御を行っている状況であるときにおいても、監視カメラによりオフィス１内に侵入してきた人物を撮像し、この撮像により得られる映像内での人間の行動（挙動）を解析して不審な行動を検出したり、生体認証機能を用いて侵入者を検出することにより、セキュリティ機能を実現することができる。
【００５３】
なお、本変形例の複合システムは、当該セキュリティ機能の具体例に限定されることなく、様々なセキュリティ具体例に適用できる。
【００５４】
（第３の変形例）
また、本実施形態の変形例として、調光制御の条件として、時間情報を使用して、時間帯毎に予め設定した照度に適合する調光制御を実現する照明制御装置でもよい。
【００５５】
即ち、画像処理装置１２は、予め時間帯毎に設定された照度情報をテーブル情報として記憶し、調光制御時の時間帯に対応する照度情報をテーブル情報から取得する。次に、画像処理装置１２は、カメラ１４からの映像情報に応じて算出された照度情報と、取得した時間帯に対応する照度情報とを比較し、オフィス１内の照明が時間帯の照度に適合する調光状態になるように調光制御要求を照明機器制御装置１１に送信する。
【００５６】
これにより、照明機器制御装置１１は、画像処理装置１２からの調光制御要求に応じて、オフィス１内の照明を、時間帯で設定された照度になるような調光制御を実行する。具体的には、例えば外光が得られる昼間の時間帯では、照明機器制御装置１１は、画像処理装置１２からの調光制御要求に応じて、オフィス１内の照明の照度が弱くなるように、オフィス１内の照明機器を調光制御する。一方、例えば外光が得られない夜間の時間帯では、照明機器制御装置１１は、逆にオフィス１内の照明の照度が強くなるように、オフィス１内の照明機器を調光制御する。
【００５７】
このような調光制御により、時間帯の環境に応じた適正な照度の照明を実現することができる。また、外光が得られる昼間の時間帯では、照明の照度が弱くすることにより、省エネルギー効果を得ることができる。
【００５８】
なお、本変形例の時間帯毎の調光制御方法を、前述した人間の存在の認識に基づいて調光制御方法とを組み合わせた制御方法でも良い。具体的には、オフィス１内に人間が存在しない場合には、夜間の時間帯でも、オフィス１内の照明の照度を最小限又は照明をオフする制御を実行する。また、外光が得られる昼間の時間帯においても、ある特定領域（例えば設計図を描くような場所）だけは、人間が存在する場合には照明の照度を強くするような調光制御でも良い。
【００５９】
また、時間帯によって、照度計測に基づいた調光制御と前述のセキュリティ処理とを切り替える制御方法でもよい。具体的には、例えば昼間の時間帯では調光制御を実行し、夜間の時間帯ではセキュリティ処理を実行する。なお、特に夜間の時間帯において、調光制御機能をサポートしながら、セキュリティ処理を並行して実行する制御方法でもよい。
【００６０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６１】
１…オフィス（照明対象領域）、１０…ネットワーク（ＬＡＮ）、
１１…照明機器制御装置、１２…画像処理装置、１３…照明機器、１４…カメラ。
【図１】
2011081982.tif 000003
【図２】
2011081982.tif 000004
【図３】
2011081982.tif 000005
【図４】
2011081982.tif 000006
【図５】
2011081982.tif 000007
【図６】
2011081982.tif 000008
【図７】
2011081982.tif 000009